(57)【特許請求の範囲】
【請求項１】
水分を吸収する保水材（３０）の上方より滴下される水により湿潤されて、該保水材（３０）より気化する際の潜熱にて吸気された空気の温度を低下させる気化式空気冷却装置（１１）を形成し、
前記気化式空気冷却装置（１１）が、屋外に設置される室外機（１）の空気の吸い込み口（２６）の風上側に設置されて、該気化式空気冷却装置（１１）により前記室外機（１）の凝縮器（３）に外気より温度の低い空気を当てるようにした凝縮器の補助冷却システムであって、
前記室外機（１）の上面に前記気化式空気冷却装置（１１）を配設し、
前記室外機（１）及び前記気化式空気冷却装置（１１）以外の面を閉塞して外気とはほぼ遮断した空気調整室（４０）を形成し、
前記空気調整室（４０）内には前記気化式空気冷却装置（１１）により冷却された空気が吸気されて該空気調整室（４０）内にはほぼ冷却された空気だけが存在していることを特徴とする凝縮器の補助冷却システム。
【請求項２】
前記気化式空気冷却装置（１１）の外気の吸い込み面の大きさないし面積は、前記室外機（１）の吸い込み口（２６）の大きさないし面積とほぼ同じか、あるいは大きくしていることを特徴とする請求項１に記載の凝縮器の補助冷却システム。
【請求項３】
前記空気調整室（４０）の両側の面であって前記気化式空気冷却装置（１１）の高さ位置と同じ位置に、第２の気化式空気冷却装置（１１）をそれぞれ配設し、３つの気化式空気冷却装置（１１）の外気の吸い込み面の合計の大きさないし面積は、前記室外機（１）の吸い込み口（２６）の大きさないし面積とほぼ同じか、あるいは大きくしていることを特徴とする請求項１に記載の凝縮器の補助冷却システム。
【請求項４】
前記室外機（１）が複数台が設置されており、この複数台の室外機（１）を含めた１つの空気調整室（４０）を形成していることを特徴とする請求項１に記載の凝縮器の補助冷却システム。
【請求項５】
前記空気調整室（４０）内を室外機（１）毎に仕切る間仕切り（７０）を設けていることを特徴とする請求項４に記載の凝縮器の補助冷却システム。
【請求項６】
前記空気調整室（４０）の背面は、建築物の壁面（５８）を利用していることを特徴とする請求項１〜請求項５のいずれかに記載の凝縮器の補助冷却システム。
【発明の詳細な説明】
【技術分野】
【０００１】
本発明は、空調、冷凍、冷蔵装置等に用いられている空冷式の凝縮器の空気冷却システムに関するものであり、より詳しくは夏場等の外気温が高い時に空気調和機の凝縮器の吸い込み空気の温度を冷却するための凝縮器の空気冷却システムに関するものである。
【背景技術】
【０００２】
夏場等の外気温が高い時に空気調和機の凝縮器の吸い込み空気の温度を冷却するためのこの種の凝縮器の空気冷却システムとして、例えば、本出願人が既に出願した下記に示す特許文献１が挙げられる。
【先行技術文献】
【特許文献】
【０００３】
【特許文献１】実用新案登録第３１７８０３８号公報（発行日平成２４年８月３０日）
【０００４】
上記特許文献１は図１５〜図２２に示すような構成となっている。図１５は室外機１の吸い込み空気の上流側に補助冷却装置１０を設置した場合の凝縮器の空気冷却装置の概略構成を示しており、また、図１６は図１５のＡ方向から見た概略正面図を示している。
室外機１は、周知の構成であるため、詳細な説明は省略するが、室外機１のケース２の一方には凝縮器３が配置され、ケース２の上部には冷却ファン４が設けられている。なお、図示例では冷却ファン４をケース２の上部に設けているが、凝縮器３に対向した位置に冷却ファン４が設けられている場合もある。
【０００５】
補助冷却装置１０は、気化式空気冷却装置１１と、この気化式空気冷却装置１１から排水管１２を介して排水される水を回収する水回収装置１３と、この水回収装置１３に貯溜している水をポンプ１４を介して前記気化式空気冷却装置１１側に送る給水管１５と、この給水管１５からの水を気化式空気冷却装置１１の上面に給水する給水装置１６等で構成されている。
【０００６】
なお、図１５では給水管１５を室外機１より右方に描いているが、実際の施工は室外機１の側方で、気化式空気冷却装置１１の側面に配管されるようになっている。しかし、補助冷却装置１０の気化式空気冷却装置１１は、凝縮器３の吸い込み空気の上流側に該室外機１に近接して配置されるが、他の水回収装置１３や給水管１５は任意の箇所に配置、施工される。
【０００７】
気化式空気冷却装置１１は、図１６に示すように、凝縮器３の大きさとほぼ同じか、若干大きめの大きさとしており、気化式空気冷却装置１１にて凝縮器３の空気の吸い込み面を覆う大きさである。
【０００８】
図１７は、周知な冷凍サイクルを示し、冷凍サイクルは、凝縮器３、圧縮器５、室内に設置される室内機内の蒸発器６、膨張弁７等で構成されており、それぞれ冷媒管８にて接続されている。
冷房運転時では、圧縮器５で冷媒管８内の冷媒が圧縮されて、冷媒は高温ガスになり、凝縮器３内を冷却ファン４にて気化する際の水の潜熱にて一定の温度に下げられ冷媒ガスは液化する。膨張弁７にて冷媒の圧力は急激に下げられ、冷媒ガスの潜熱で冷たくなり、蒸発器６で部屋の温度を熱交換を行ない、室内機から冷風が部屋内に送られて冷房が行なわれる。
【０００９】
ここでは、水回収装置１３内の水をポンプ１４、給水管１５を介して気化式空気冷却装置１１へ循環させ、気化式空気冷却装置１１内では水が気化する際の潜熱を利用して気化式空気冷却装置１１内で吸気された空気の温度を低下させ、この低下させた空気にて凝縮器３を冷却させるものである。
気化式空気冷却装置１１内を流下した水は排水管１２を介して水回収装置１３に回収される。
【００１０】
図１５に示すように、水回収装置１３へは、水道水等の補給水が補給水管２０から供給されるようになっており、補給水管２０にはフロート弁２１が介装されている。このフロート弁２１は、液面に浮かぶフロート２２が液面の高さに応じて上下方向に移動することにより開閉する弁である。
水回収装置１３の液面が所定の高さ以下になると、フロート２２が下降してフロート弁２１が開いて補給水管２０から水が供給される。また、補給水が供給されていって液面が所定の高さ以上になると、フロート２２が上昇してフロート弁２１が閉じられ、補給水管２０からの水の供給が停止される。
【００１１】
気化式空気冷却装置１１へ水回収装置１３からの水を循環させて給水する給水装置１６は、気化式空気冷却装置１１の幅方向と略同じ長さとし、例えばパイプに複数の穴を穿孔しておき、これらの穴から水を気化式空気冷却装置１１の上面に滴下ないし散水するものである。
【００１２】
なお、図１６に示すように気化式空気冷却装置１１の下部側には排水樋２５が設けられており、この排水樋２５の端部に排水管１２が接続されて、気化式空気冷却装置１１から流下した水は水回収装置１３へ回収されるようになっている。
【００１３】
次に、気化式空気冷却装置１１の構成について説明する。気化式空気冷却装置１１は、図１５に示すように、外気が矢印に示すように吸い込まれて吐出される保水材３０にて構成されている。なお、この保水材３０は、一般に通称クーリングパッド（ Cooling Pad )と呼ばれ、木材のチップを加工した紙質と、ポリエチレンと、ガラス繊維で構成され従来より市販されている。
また、このクーリングパッドは、主に畜舎並びに園芸用施設の温度を下げるために用いられるものであり、日本では、無窓畜舎、施設園芸用温室で広く使用されているものである。
【００１４】
図１８〜図２１は保水材３０の作り方を示しており、保水材３０の構造を理解し易いように、この保水材３０の構造について説明する。図１８において、波形形状をした波板材５１を多層に積層して形成するものであり、それぞれの波板材５１は、強固に加工された紙で出来ている。なお、波板材５１の波形形状で形成されて連続して形成される溝５２が、空気の流通路となる。
上下の波板材５１を吸気方向に対して互い違いに任意の角度、例えば、３０°前後に組み合わせ、上の波板材５１の波の下側の頂点と、下の波板材５１の波の上側の頂点とは交差する点、つまり、図１９に示す黒丸（●）の部分を接着剤にて接着し、上下の波板材５１を接着固定する。
【００１５】
このようにして波板材５１を多数積層したのが図２０に示す保水材本体５５であり、この保水材本体５５を図中矢印のイ方向にカッター等にて切断することで、任意の厚みの保水材片５６を得る。そして、図２１に示すように、縦方向、横方向の矢印ロ、ハに示すようにカッター等にて切断することで、任意の大きさの保水材３０を形成することができる。
【００１６】
なお、保水材３０は、任意の厚みや大きさを容易に製作することができ、また、波板材５１を上下に積層する際に、波板材５１を任意の角度で傾斜して積層することで、外気の吸気方向に対する波板材５１の各溝５２の傾斜角度も任意に形成することができる。また、図１８に示すように、溝５２の幅寸法Ｌや高さ寸法Ｈを任意に製作することができる。
【００１７】
図２２は上記のようにして製作された保水材３０の要部拡大断面図を示し、保水材３０の右方に凝縮器３が位置し、左方から矢印に示すように空気が保水材３０の溝５２（以後、この溝を「空気流通路」と称する。）を通過する。
この実線で示している空気流通路５２は例えば、３０°の傾きで上昇し、この実線で示されている空気流通路５２と幅方向で隣接し、破線で示している空気流通路５２は、例えば、３０°の傾きで下降している構成となっている。これらの空気流通路５２が保水材３０の上下方向及び左右方向に連続して形成されている。
【００１８】
この保水材３０に給水装置１６からの水が滴下され、保水材３０自体に水が吸水されて湿潤状態となり、同時に保水材３０の表面、つまり各空気流通路５２の表裏の面を水が流下していき、保水材３０に吸収されなかった水は保水材３０の表面を伝って水回収装置１３へと流れて回収される。
【００１９】
特に、保水材３０の材料として上述したように、木材のチップを加工した紙質と、ポリエチレンと、ガラス繊維で構成しているので、保水材３０自体に水が吸収されて湿潤状態となり、保水材３０から気化する際の潜熱にて保水材３０側に吸気された空気の温度を低下させることができる。これにより、凝縮器３を効率良く冷却することができる。
つまり、気化式空気冷却装置１１に水を循環させることにより、気化式空気冷却装置１１を通過する室外機１の吸い込み温度が気化潜熱で外気温度よりも下がり、且つ加湿効果により冷房能力の向上を図ることができる。
【００２０】
このように従来では、室外機１の凝縮器３の空気の吸い込み側に配設した気化式空気冷却装置１１に水を循環させることにより、補給水は蒸発した水の分だけとなり、水道代の上昇を抑えるようにしている。
また、凝縮器３を冷却させることで、空気調和機全体の消費電力を抑えることができるので、水を循環させるためのポンプ１４の電気代は、微々たるものであり、全体としての消費電力を抑えている。
【発明の概要】
【発明が解決しようとする課題】
【００２１】
ところで、室外機１の周囲は、ある程度の空間をあけておく必要があり、例えば、室外機１と、該室外機１と近接する建物等の外壁との間は、一定の距離だけあけておく必要がある。室外機１と外壁との間に空間が十分にある場合には、上記気化式空気冷却装置１１を難なく設置することができる。
【００２２】
しかしながら、住宅事情により図２３に示すように、室外機１の空気の吸い込み側と建物の壁面５８との間の距離が規定された距離ぎりぎりに設置されているのが現状である。
このような状況の下で図２４に示すように、室外機１と壁面５８との間の空間６１に気化式空気冷却装置１１を設置した場合、気化式空気冷却装置１１の吸い込み面側と壁面５８との間の距離が非常に短くなり、吸い込み空気の流れが悪くなり、気化式空気冷却装置１１の機能を十分に発揮することができなくなる。また、室外機１の凝縮器３への空気の流れも悪くなる。
【００２３】
また、図２５に示すように、室外機１と壁面５８との狭い空間６１に、該室外機１からの配管や、他のダクト５９等が施行されている場合は、そもそも気化式空気冷却装置１１を設置できないという問題を有している。
【００２４】
図２４に示すように、室外機１が地面に近く設置されている場合に、気化式空気冷却装置１１を配設すると、気化式空気冷却装置１１の底部と床面（地面）との距離が短くなり、水回収装置１３を設置できないという問題がある。
つまり、気化式空気冷却装置１１の底部から水回収装置１３へ還る循環水の入水口の高さが、床面（地面）から循環水量に見合う水面の許容寸法が必要であるが、これを確保できないために、水回収装置１３を設置することができない。
【００２５】
これを克服するための策として、図２６に示すように、気化式空気冷却装置１１の底部を地面より高くして気化式空気冷却装置１１を配設することが考えられる。しかし、気化式空気冷却装置１１の底面より下方に対応した凝縮器３には冷風が当たらなくなり、凝縮器３を効率良く冷却させることができなくなる。
【００２６】
また、図１５に示すように、気化式空気冷却装置１１を室外機１の面に近接して配設した場合、気化式空気冷却装置１１の循環水が、飛沫等により室外機１の冷却ファン４にかかって、冷却ファン４に水道水である循環水に含まれているシリカ、カルシウム等の不純物が付着して、腐食させる虞がある。
【００２７】
また、上述したように、室外機１の吸い込み口と壁、フェンスが接近している場合、気化式空気冷却装置１１の幅の寸法以上はさらに接近するため、室外機１の吸い込み側の必要寸法が取れず、そのため、室外機１を既設のまま気化式空気冷却装置１１を設置することができないという問題を有している。
【００２８】
本発明は上述の問題点に鑑みて提供したものであって、少なくとも以下の目的を備えた凝縮器の補助冷却システムを提供するものである。
（１）室外機と壁、フェンスとの寸法が短く、室外機と壁面との間の空間が狭くて気化式空気冷却装置を配設できない場合でも室外機が既設の状態で気化式空気冷却装置を設置できるようにすること。
（２）運転状況を確認し易くすること。
（３）循環水が室外機にかかるのを減少させること。
（４）気化式空気冷却装置の位置を室外機の高さに関係なく設置できること。
【課題を解決するための手段】
【００２９】
そこで、本発明の請求項１に記載の凝縮器の補助冷却システムでは、水分を吸収する保水材３０の上方より滴下される水により湿潤されて、該保水材３０より気化する際の潜熱にて吸気された空気の温度を低下させる気化式空気冷却装置１１を形成し、
前記気化式空気冷却装置１１が、屋外に設置される室外機１の空気の吸い込み口２６の風上側に設置されて、該気化式空気冷却装置１１により前記室外機１の凝縮器３に外気より温度の低い空気を当てるようにした凝縮器の補助冷却システムであって、
前記室外機１の上面に前記気化式空気冷却装置１１を配設し、
前記室外機１及び前記気化式空気冷却装置１１以外の面を閉塞して外気とはほぼ遮断した空気調整室４０を形成し、
前記空気調整室４０内には前記気化式空気冷却装置１１により冷却された空気が吸気されて該空気調整室４０内にはほぼ冷却された空気だけが存在していることを特徴としている。
【００３０】
請求項２に記載の凝縮器の補助冷却システムでは、前記気化式空気冷却装置１１の外気の吸い込み面の大きさないし面積は、前記室外機１の吸い込み口２６の大きさないし面積とほぼ同じか、あるいは大きくしていることを特徴としている。
【００３１】
請求項３に記載の凝縮器の補助冷却システムでは、前記空気調整室４０の両側の面であって前記気化式空気冷却装置１１の高さ位置と同じ位置に、第２の気化式空気冷却装置１１をそれぞれ配設し、３つの気化式空気冷却装置１１の外気の吸い込み面の合計の大きさないし面積は、前記室外機１の吸い込み口２６の大きさないし面積とほぼ同じか、あるいは大きくしていることを特徴としている。
【００３２】
請求項４に記載の凝縮器の補助冷却システムでは、前記室外機１が複数台が設置されており、この複数台の室外機１を含めた１つの空気調整室４０を形成していることを特徴としている。
【００３３】
請求項５に記載の凝縮器の補助冷却システムでは、前記空気調整室４０内を室外機１毎に仕切る間仕切り７０を設けていることを特徴としている。
【００３４】
請求項６に記載の凝縮器の補助冷却システムでは、前記空気調整室４０の背面は、建築物の壁面５８を利用していることを特徴としている。
【発明の効果】
【００３５】
本発明の請求項１に記載の凝縮器の補助冷却システムによれば、室外機１の上面に前記気化式空気冷却装置１１を配設し、前記室外機１及び前記気化式空気冷却装置１１以外の面を閉塞して外気とはほぼ遮断した空気調整室４０を形成し、前記空気調整室４０内には前記気化式空気冷却装置１１により冷却された空気が吸気されて該空気調整室４０内にはほぼ冷却された空気だけが存在しているので、室外機１と壁面５８との間の空間６１が狭い場合や配管などの障害物がある場合でも、気化式空気冷却装置１１を設置することができる。
そのため、室外機１の空気の吸い込み口２６面側に気化式空気冷却装置１１を設置するスペースが無い場合でも、気化式空気冷却装置１１を室外機１の上に配設して空気調整室４０を形成することで、気化式空気冷却装置１１を配設でき、室外機１の凝縮器３を冷却させることができる。
また、気化式空気冷却装置１１を室外機１の上に配設することで、気化式空気冷却装置１１の保水材３０に水を循環させるべく、気化式空気冷却装置１１の底部から循環水の入水口の高さが地面４３から循環水量に見合う水面の許容寸法を確保することができる。そのため、室外機１の設置位置に関係なく水回収装置１３を設置できて、保水材３０への水の循環を支障なく行なうことができる。
また、保水材３０に水を循環させている気化式空気冷却装置１１を室外機１の上に配設しているので、水が室外機１の冷却ファン４にかかる危険を減少させることができる。
さらには、気化式空気冷却装置１１を室外機１の上に配設するようにしているので、室外機１を既設の状態で気化式空気冷却装置１１、つまり補助冷却装置１０を施工することができる。
また、補助冷却装置１０を運転して、気化式空気冷却装置１１の保水材３０に水を循環させている場合で、長期間運転している場合では保水材３０の空気の吸い込み面側の一部が変色する。そこで、室外機１の背面側に気化式空気冷却装置１１を設置した場合では、保水材３０の変色を確認しにくいが、気化式空気冷却装置１１を室外機１の上に配設していることで、保水材３０の変色を確認し易くすることができる。そのため、保水材３０の取り替え等のメンテナンスが容易となる。
さらには、室外機１の上に気化式空気冷却装置１１を配設し、側板４１や天板４２により、室外機１に対して日影を作ることになり、室外機１の温度上昇を防ぐことができる。
【００３６】
請求項２に記載の凝縮器の補助冷却システムによれば、気化式空気冷却装置１１の外気を吸い込み面の大きさないし面積は、前記室外機１の吸い込み口２６の大きさないし面積とほぼ同じか、あるいは大きくしていることで、気化式空気冷却装置１１側の空気の吸い込み量と、室外機１側の空気の吐出量とがほぼ同じであり、室外機１のモータに負荷を与えることもない。
【００３７】
請求項３に記載の凝縮器の補助冷却システムによれば、空気調整室４０の両側の面であって前記気化式空気冷却装置１１の高さ位置と同じ位置に、第２の気化式空気冷却装置１１をそれぞれ配設し、３つの気化式空気冷却装置１１の外気の大きさないし面積は、前記室外機１の吸い込み口２６の大きさないし面積とほぼ同じか、あるいは大きくしているので、各気化式空気冷却装置１１の高さを低くすることができ、補助冷却装置１０の全体の高さを低くすることができる。これにより、人に威圧感を与えることがない。
【００３８】
請求項４に記載の凝縮器の補助冷却システムによれば、室外機１が複数台が設置されており、この複数台の室外機１を含めた１つの空気調整室４０を形成しているので、１台の室外機１に対して１つの空気調整室４０を形成するのとは異なり、空気調整室４０を形成するための施工時間を短くでき、全体として補助冷却装置１０のコストを安価に抑えることができる。
【００３９】
請求項５に記載の凝縮器の補助冷却システムによれば、空気調整室４０内を室外機１毎に仕切る間仕切り７０を設けていることで、間仕切り７０を設けない１つの空気調整室４０と比較した場合、各空気調整室４０では高い密封度を維持することができる。
【００４０】
請求項６に記載の凝縮器の補助冷却システムによれば、空気調整室４０の背面は、建築物の壁面５８を利用しているものであり、空気調整室４０の背面に壁面５８を利用していることで、この壁面５８に相当する部材を別途用意する必要がなく、コストの上昇を抑えることができる。
特に、室外機１と壁面５８との間の空間６１が狭い場合や配管などの障害物がある場合でも、気化式空気冷却装置１１を設置することができる。
そのため、室外機１の空気の吸い込み口２６面側に気化式空気冷却装置１１を設置するスペースが無い場合でも、気化式空気冷却装置１１を室外機１の上に配設して空気調整室４０を形成することで、気化式空気冷却装置１１を配設でき、室外機１の凝縮器３を冷却させることができる。
【図面の簡単な説明】
【００４１】
【図１】本発明の第１の実施の形態における室外機に施工した補助冷却装置の断面図である。
【図２】本発明の第１の実施の形態における室外機に施工した補助冷却装置の斜視図である。
【図３】本発明の第１の実施の形態における補助冷却装置の断面図である。
【図４】本発明の第１の実施の形態における補助冷却装置の断面図である。
【図５】本発明の第１の実施の形態における気化式空気冷却装置の正面図である。
【図６】本発明の第２の実施の形態における補助冷却装置の斜視図である。
【図７】本発明の第２の実施の形態における補助冷却装置の説明図である。
【図８】本発明の第３の実施の形態における補助冷却装置の平面図である。
【図９】本発明の第３の実施の形態における補助冷却装置の斜視図である。
【図１０】本発明の第４の実施の形態における室外機を複数台設置している状態を示す図である。
【図１１】本発明の第４の実施の形態における室外機の上面に気化式空気冷却装置を設置した状態を示す説明図である。
【図１２】本発明の第４の実施の形態における室外機の上面に気化式空気冷却装置を設置した状態を示す説明図である。
【図１３】本発明の第４の実施の形態における補助冷却装置の断面図である。
【図１４】本発明の第４の実施の形態における空気調整室内に間仕切りを設けた場合の補助冷却装置の断面図である。
【図１５】室外機の凝縮器の補助冷却装置を示す概略構成図である。
【図１６】補助冷却装置を正面から見た概略図である。
【図１７】冷凍サイクルを示す図である。
【図１８】保水材を製作する場合の説明図である。
【図１９】保水材を製作する場合の説明図である。
【図２０】保水材を製作する場合の説明図である。
【図２１】保水材を製作する場合の説明図である。
【図２２】保水材の要部拡大断面図である。
【図２３】従来例の問題点を示す図である。
【図２４】従来例の問題点を示す図である。
【図２５】従来例の問題点を示す図である。
【図２６】従来例の問題点を示す図である。
【発明を実施するための形態】
【００４２】
（第１の実施の形態）
以下、本発明の第１の実施の形態を図面を参照して詳細に説明する。なお、本実施形態における補助冷却装置１０は、図１５及び図１６に示す補助冷却装置１０の構成と同じであり、気化式空気冷却装置１１を設置する箇所が異なるものである。
また、気化式空気冷却装置１１は、別途に給水装置１６及び排水樋２５を設ける場合や、気化式空気冷却装置１１の上部に給水装置１６を一体化したり、また、気化式空気冷却装置１１の下部に排水樋２５を一体化したりする場合も含まれる。
【００４３】
さらに、本実施形態では、気化式空気冷却装置１１を含む補助冷却装置１０の全体の構成は記載しないが、主に気化式空気冷却装置１１を記載して他の構成は省略しているが、上述したように補助冷却装置１０自体の構成は図１５及び図１６に示す構成と同じである。
【００４４】
図１は、本発明の凝縮器の補助冷却システムを構成する補助冷却装置１０の断面図を示しており、室外機１と建物の壁面５８との距離があまり無い場合での気化式空気冷却装置１１を設置した断面図を示している。本実施形態では、室外機１と壁面５８との間の空間６１に気化式空気冷却装置１１を設置できないために、気化式空気冷却装置１１を室外機１の上面に設置するようにしたものである。
また、同時に、室外機１の吸い込み口２６を包み込むようにし、且つ外気とはほぼ遮断するようにした空気調整室４０を設けているものである。
【００４５】
図２は補助冷却装置１０の斜視図を示し、図３は補助冷却装置１０の断面図を、図４は室外機１の吸い込み口２６の方向を見た補助冷却装置１０の空気調整室４０内から見た断面図をそれぞれ示している。室外機１の上面に気化式空気冷却装置１１を配設し、室外機１及び気化式空気冷却装置１１の両側と壁面５８との間には側板４１をそれぞれ配設している。また、気化式空気冷却装置１１の上面と壁面５８との間には天板４２を配設している。
【００４６】
このように、地面４３に設置されている室外機１と、この室外機１の上面に配設した気化式空気冷却装置１１と、左右の側板４１と、地面４３と、壁面５８と、天板４２とで前後左右及び上下を外気とほぼ遮断した空気調整室４０を形成している。
運転時は図１の矢印に示すように、外気は気化式空気冷却装置１１を流通して空気調整室４０内に流入し、更に室外機１の凝縮器３に気化式空気冷却装置１１にて冷却された空気が接触して該凝縮器３を上述した理由により冷却させることができる。
【００４７】
なお、空気調整室４０内の空気と外気とは、もちろん完全に遮断されているのではなく、側板４１や天板４２と、室外機１及び気化式空気冷却装置１１の端部との間には空気が流通する隙間が生じている。しかし、かかる隙間があっても、特に問題はない。なお、空気調整室４０内と外気とか完全に遮断するのは構造上難しいからである。
【００４８】
ここで、気化式空気冷却装置１１の空気が流入する大きさ（面積）は、室外機１の吸い込み口２６の大きさ（面積）とほぼ同じか、あるいは少し大きく形成している。気化式空気冷却装置１１の大きさを室外機１の吸い込み口２６の大きさより小さくすると、圧力損失が生じて室外機１の冷却ファン４を駆動しているモータ（図示せず）に負荷をかけるからである。
したがって、気化式空気冷却装置１１側の空気の吸い込み量と、室外機１側の空気の吐出量とがほぼ同じであり、室外機１のモータに負荷を与えることもない。
【００４９】
図５は気化式空気冷却装置１１の正面図を示しており、上述した保水材３０と、この保水材３０の上部に位置する断面を略コ字型とした上パネル３１と、保水材３０の両側に位置する断面を略コ字型としたサイドパネル３２と、保水材３０の下部に位置する断面を略コ字型とした下パネル３３とで気化式空気冷却装置１１を構成している。
【００５０】
ここで、上記上パネル３１に図１５に示すような給水装置１６の機能を持たせており、また、下パネル３３には図１５に示すような排水樋２５の機能を持たせている。
【００５１】
気化式空気冷却装置１１の保水材３０の機能は、従来例で述べたように、湿潤している保水材３０から水が気化する際の潜熱を利用して気化式空気冷却装置１１内で吸気された空気の温度を低下させるものであり、この温度を低下させた空気が空気調整室４０内に流入する。
そして、空気調整室４０内では冷やされて流入した空気が室外機１の凝縮器３に接触して凝縮器３を冷却する。凝縮器３に接触した空気は室外機１の吐出口２７から排気される。
【００５２】
このように本実施形態では図１に示すように、気化式空気冷却装置１１を室外機１の上に配設して外気とほぼ遮断した空気調整室４０を形成していることで、室外機１と壁面５８との間の空間６１が狭い場合や配管などの障害物がある場合でも、気化式空気冷却装置１１を設置することができる。
そのため、室外機１の空気の吸い込み口２６面側に気化式空気冷却装置１１を設置するスペースが無い場合でも、気化式空気冷却装置１１を室外機１の上に配設して空気調整室４０を形成することで、気化式空気冷却装置１１を配設でき、室外機１の凝縮器３を冷却させることができる。
【００５３】
また、気化式空気冷却装置１１を室外機１の上に配設することで、気化式空気冷却装置１１の保水材３０に水を循環させるべく、気化式空気冷却装置１１の底部から循環水の入水口の高さが地面４３から循環水量に見合う水面の許容寸法を確保することができる。そのため、室外機１の設置位置に関係なく水回収装置１３を設置できて、保水材３０への水の循環を支障なく行なうことができる。
【００５４】
また、保水材３０に水を循環させている気化式空気冷却装置１１を室外機１の上に配設しているので、水が室外機１の冷却ファン４にかかる危険を減少させることができる。
さらには、気化式空気冷却装置１１を室外機１の上に配設するようにしているので、室外機１を既設の状態で気化式空気冷却装置１１、つまり補助冷却装置１０を施工することができる。
【００５５】
また、補助冷却装置１０を運転して、気化式空気冷却装置１１の保水材３０に水を循環させている場合で、長期間運転している場合では保水材３０の吸い込み面側の一部が変色する。そこで、室外機１の背面側に気化式空気冷却装置１１を設置した場合では、保水材３０の変色を確認しにくいが、気化式空気冷却装置１１を室外機１の上に配設していることで、保水材３０の変色を確認し易くすることができる。そのため、保水材３０の取り替え等のメンテナンスが容易となる。
【００５６】
さらには、室外機１の上に気化式空気冷却装置１１を配設し、側板４１や天板４２により、室外機１に対して日影を作ることになり、室外機１の温度上昇を防ぐことができる。
【００５７】
また、空気調整室４０の背面は、建築物の壁面５８を利用しているものであり、空気調整室４０の背面に壁面５８を利用していることで、この壁面５８に相当する部材を別途用意する必要がなく、コストの上昇を抑えることができる。
特に、室外機１と壁面５８との間の空間６１が狭い場合や配管などの障害物がある場合でも、気化式空気冷却装置１１を設置することができる。
【００５８】
そのため、室外機１の空気の吸い込み口２６面側に気化式空気冷却装置１１を設置するスペースが無い場合でも、気化式空気冷却装置１１を室外機１の上に配設して空気調整室４０を形成することで、気化式空気冷却装置１１を配設でき、室外機１の凝縮器３を冷却させることができる。
【００５９】
（第２の実施の形態）
次に第２の実施形態を図６及び図７により説明する。補助冷却装置１０の空気調整室４０内に外気を流入させる気化式空気冷却装置１１の面積を、室外機１の吸い込み口２６の面積よりは大きくしているが、先の実施形態では、１台の気化式空気冷却装置１１を用いていたので、気化式空気冷却装置１１の高さ寸法が高くなっていた。そのため、人に威圧感を与えていた。
【００６０】
そこで、本実施形態では、補助冷却装置１０の高さを低くするようにしたものである。すなわち、図６及び図７に示すように、室外機１の上面に第１の気化式空気冷却装置１１ａを配設し、さらに、この第１の気化式空気冷却装置１１ａの両側の後方に２つの第２の気化式空気冷却装置１１ｂをそれぞれ配設するようにしたものである。
なお、左右の気化式空気冷却装置１１ｂ、１１ｂの高さ位置は、前面の気化式空気冷却装置１１ａと同じ高さ位置としている。
【００６１】
この１つの第１の気化式空気冷却装置１１ａと、２つの第２の気化式空気冷却装置１１ｂの合計の面積を、室外機１の吸い込み口２６の面積とほぼ同じか、あるいは大きくしたものである。そのため、各気化式空気冷却装置１１の高さを低くすることができ、補助冷却装置１０の全体の高さを低くすることができる。これにより、人に威圧感を与えることがない。
なお、図６及び図７では天板４２は図示省略している。
【００６２】
（第３の実施の形態）
図８及び図９に第３の実施形態を示す。本実施形態では、空気調整室４０を形成するのに壁面５８を利用せずに、４つの気化式空気冷却装置１１を用いて略口字型に形成したものである。前面の気化式空気冷却装置１１は室外機１の上に配設し、左右と後部の気化式空気冷却装置１１は、支持体（図示せず）の上に載置し、この支持体の外側にパネルにて側板４１と背板４５を配設して空気調整室４０を形成している。なお、図８及び図９では天板４２を図示省略している。
また、左右の気化式空気冷却装置１１と後部の気化式空気冷却装置１１の高さ位置は、前部の気化式空気冷却装置１１と同じ高さ位置としている。
【００６３】
本実施形態では、４つの気化式空気冷却装置１１を用いているので、４つの気化式空気冷却装置１１の面積と、室外機１の吸い込み口２６の面積とを同じくらいにすると、補助冷却装置１０の高さをさらに低くすることができる。
【００６４】
（第４の実施の形態）
次に、第４の実施の形態を図１０〜図１３により説明する。本実施形態では、図１０に示すように、複数台、例えば３台の室外機１がある場合にでも、空気調整室４０を１つで構成したものである。なお、本実施形態では図１３に示すように壁面５８を利用して空気調整室４０を形成している。
【００６５】
本実施形態では、図１２に示すように、３台の室外機１の上に長尺物の支持台６３を架橋し、その支持台６３に複数の保水材３０を載置している。また、保水材３０の上部には長尺物の上パネル６４を配設している。
上記支持台６３は、排水樋２５の機能を持たせており、また上パネル６４には給水管１５から分岐した支管６５を介して保水材３０に給水するようにしている。なお、複数の保水材３０と、支持台６３と、上パネル６４等で気化式空気冷却装置１１を構成している。
【００６６】
気化式空気冷却装置１１の両側の背面と壁面５８との間には側板４１を配設し、また、室外機１の間の部分にもパネル６７を配設し（図１２及び図１３参照）、空気調整室４０を構成している。なお、天板４２は図示省略している。
【００６７】
このように本実施形態では、複数台の室外機１がある場合でも、空気調整室４０を１つとしていることで、１台の室外機１に対して１つの空気調整室４０を形成していた先の実施形態とは異なり、空気調整室４０を形成するための施工時間を短くでき、全体として補助冷却装置１０のコストを安価に抑えることができる。
【００６８】
図１４は、空気調整室４０内に平板状の間仕切り７０を設けたものであり、この間仕切り７０により各室外機１に応じた空気調整室４０を形成している。この間仕切り７０を設けることで、間仕切り７０を設けない１つの空気調整室４０と比較した場合、各空気調整室４０では高い密封度を維持することができる。
【００６９】
なお、図１３及び図１４に示す実施形態において、左右に気化式空気冷却装置１１を配置するようにしても良い。かかる場合、上述した理由により、さらに気化式空気冷却装置１１の高さを低くして補助冷却装置１０の全体の高さを低くすることができる。これにより気化式空気冷却装置１１が威圧感を与えることがない。
【００７０】
なお、上記実施形態では、空気調整室４０を構成するのに建物の壁面５８を利用していたが、壁面５８に限らず、フェンスなどの面が閉塞された建築物の場合でも本発明を適用することができる。
【００７１】
また、空気調整室４０を構成する天板４２、側板４１、パネル６７等の部材は、例えば、スレート、トタン、プラベニア、テント材、ビニールシート、断熱ボードである。その中で特に断熱ボードが好適例である。しかし、外気と空気調整室４０とを遮断するものであれば、特に限定されるものではない。
【符号の説明】
【００７２】
１  室外機
３  凝縮器
１１  気化式空気冷却装置
２６  吸い込み口
３０  保水材
４０  空気調整室
５８  壁面
７０  間仕切り
【要約】      （修正有）【課題】室外機と壁、フェンスとの寸法が短く、室外機と壁面との間の空間が狭くて気化式空気冷却装置を配設できない場合でも室外機が既設の状態で設置できる気化式空気冷却装置を提供する。【解決手段】室外機１と壁面５８との間の距離が短く、室外機１と壁面５８との間の空間６１に気化式空気冷却装置１１を配設できない場合、あるいは室外機１と気化式空気冷却装置との間の空間６１にダクトなどが配管されている場合は、気化式空気冷却装置を室外機１の上面に配設する。そして、壁面５８を利用して側板４１、天板４２、地面４３等で外気とはほぼ遮断した空気調整室４０を形成する。外気からの空気は気化式空気冷却装置を通して冷却され、この冷却された空気が室外機１の凝縮器３を冷却する。【選択図】図１【図１】
0005459747.tif 000002
【図２】
0005459747.tif 000003
【図３】
0005459747.tif 000004
【図４】
0005459747.tif 000005
【図５】
0005459747.tif 000006
【図６】
0005459747.tif 000007
【図７】
0005459747.tif 000008
【図８】
0005459747.tif 000009
【図９】
0005459747.tif 000010
【図１０】
0005459747.tif 000011
【図１１】
0005459747.tif 000012
【図１２】
0005459747.tif 000013
【図１３】
0005459747.tif 000014
【図１４】
0005459747.tif 000015
【図１５】
0005459747.tif 000016
【図１６】
0005459747.tif 000017
【図１７】
0005459747.tif 000018
【図１８】
0005459747.tif 000019
【図１９】
0005459747.tif 000020
【図２０】
0005459747.tif 000021
【図２１】
0005459747.tif 000022
【図２２】
0005459747.tif 000023
【図２３】
0005459747.tif 000024
【図２４】
0005459747.tif 000025
【図２５】
0005459747.tif 000026
【図２６】
0005459747.tif 000027